(57)【要約】      （修正有）【課題】同じサイズを有するとともに、同一のプラットフォーム上でコミュニケーションし協調することができるインテリジェントシステムを提供する。【解決手段】所定領域に設けられるインテリジェントシステム１であって、所定領域の画像データを取得するための画像取得ユニット１２１と、画像データにおけるキーフィーチャを識別するための画像識別ユニット１２２とを備えるイベント識別モジュール１２と、キーフィーチャとキーフィーチャ行動モード関連表、キーフィーチャ対応情報表又はキーフィーチャ状態関連表を照合して計算し、キーフィーチャ照合結果を生成させるイベント分析モジュール１３と、キーフィーチャ照合結果に応じて情報又はサービスを提供する情報とサービス提供モジュール１４とを備える。【選択図】図１
2017107547.tif 000002
【特許請求の範囲】
【請求項１】
所定領域に設けられるインテリジェントシステムであって、
前記所定領域の画像データを取得するための画像取得ユニットと、
前記画像データにおけるキーフィーチャを識別するための画像識別ユニットと、を備えるイベント識別モジュールと、
前記キーフィーチャとキーフィーチャ行動モード関連表、キーフィーチャ対応情報表、キーフィーチャ状態関連表、キーフィーチャ情緒関連表又はキーフィーチャ個人スタイル対照表を照合して計算し、キーフィーチャ照合結果を生成させるイベント分析モジュールと、
前記キーフィーチャ照合結果に応じて、少なくとも情報または少なくともサービスを提供する情報とサービス提供モジュールとを備えることを特徴とする、インテリジェントシステム。
【請求項２】
前記画像識別ユニットが取得する前記キーフィーチャとしての一部の画像データはキーフィーチャ画像データであり、
前記画像データ、前記キーフィーチャ画像データ及び前記キーフィーチャ照合結果がデータベースに格納され、前記キーフィーチャ行動モード関連表、前記キーフィーチャ対応情報表、前記キーフィーチャ状態関連表が前記キーフィーチャ照合結果に応じて更新されることを特徴とする、請求項１に記載のインテリジェントシステム。
【請求項３】
前記画像取得ユニットにより取得される前記所定領域の画像データは大部分の前記所定領域を含むことを特徴とする、請求項１に記載のインテリジェントシステム。
【請求項４】
前記インテリジェントシステムが前記所定領域の壁面に設けられることを特徴とする、請求項３に記載のインテリジェントシステム。
【請求項５】
前記情報とサービス提供モジュールはモジュール化ユニットであり、
前記イベント識別モジュール及び前記イベント分析モジュールは別のモジュール化ユニットに設けられることを特徴とする、請求項１に記載のインテリジェントシステム。
【請求項６】
前記情報とサービス提供モジュールのサイズと、前記イベント識別モジュールと前記イベント分析モジュールとが設けられる別のモジュール化ユニットのサイズが同様であることを特徴とする、請求項５に記載のインテリジェントシステム。
【請求項７】
所定領域に設けられるインテリジェントシステムであって、
制御モジュールと、
複数のインテリジェント画像モジュール化ユニットを含み、画像を表示するためのインテリジェント画像モジュールと、
複数のインテリジェントスピーカモジュール化ユニットを含み、音声信号を発信するためのインテリジェントスピーカモジュールとを備え、
前記インテリジェント画像モジュールは平面を構成することを特徴とする、インテリジェントシステム。
【請求項８】
前記インテリジェント画像モジュール化ユニットと、前記インテリジェントスピーカモジュール化ユニットとは同じサイズを有することを特徴とする、請求項７に記載のインテリジェントシステム。
【請求項９】
前記インテリジェント画像モジュールと前記インテリジェントスピーカモジュールとは共同で平面を構成することを特徴とする、請求項７に記載のインテリジェントシステム。
【請求項１０】
前記制御モジュールが前記所定領域又はリモートサーバに設けられることを特徴とする、請求項７に記載のインテリジェントシステム。
【請求項１１】
前記インテリジェント画像モジュールと前記インテリジェントスピーカモジュールにはインテリジェント電源モジュールがそれぞれ設けられることを特徴とする、請求項７に記載のインテリジェントシステム。
【請求項１２】
前記制御モジュール、前記インテリジェント画像モジュール、前記インテリジェントスピーカモジュールと共同で平面を構成するための一般機能モジュールをさらに備える、ことを特徴とする、請求項７に記載のインテリジェントシステム。
【請求項１３】
所定領域に設けられるインテリジェントシステムに適用される情報とサービス提供方法であって、
画像取得ユニットにより、前記所定領域の画像データを取得するステップと、
ユーザが前記所定領域に入ったかどうかを判断するステップと、
前記所定領域におけるユーザの行動を予測するステップと、
予測分析結果に応じて、情報又はサービスを提供するステップとを少なくとも備えることを特徴とする、情報とサービス提供方法。
【請求項１４】
前記所定領域においてユーザの可能な行動を予測するステップは、キーフィーチャ行動モード関連表、キーフィーチャ対応情報表、キーフィーチャ状態関連表、キーフィーチャ情緒関連表又はキーフィーチャ個人スタイル対照表に応じて、前記ユーザの行動を予測し、前記予測分析結果を生成させるステップをさらに備えることを特徴とする、請求項１３に記載の情報とサービス提供方法。
【請求項１５】
前記インテリジェントシステムは、インテリジェント画像モジュールとインテリジェントスピーカモジュールとをさらに備え、前記予測分析結果に応じて、前記インテリジェント画像モジュールまたは前記インテリジェントスピーカモジュールを介して、前記情報を提供することを特徴とする、請求項１４に記載の情報とサービス提供方法。
【請求項１６】
所定領域に設けられるインテリジェントシステムに適用される情報とサービス提供方法であって、
イベントがトリガされるかどうかを判断するステップと、
前記所定領域の画像データを取得し、キーフィーチャを識別するステップと、
前記キーフィーチャに応じて、情報又はサービスを提供するステップとを少なくとも備えることを特徴とする、情報とサービス提供方法。
【請求項１７】
前記インテリジェントシステムは、前記イベントがトリガされるかどうかを判断するイベント識別モジュールをさらに備えることを特徴とする、請求項１６に記載の情報とサービス提供方法。
【請求項１８】
前記インテリジェントシステムは、前記キーフィーチャに応じて分析し、予測分析結果を生成させるイベント分析モジュールをさらに備えることを特徴とする、請求項１７に記載の情報とサービス提供方法。
【請求項１９】
前記インテリジェントシステムは、インテリジェント画像モジュールをさらに備え、前記予測分析結果に応じて、前記インテリジェント画像モジュールを介して前記情報または前記サービスを提供することを特徴とする、請求項１８に記載の情報とサービス提供方法。
【発明の詳細な説明】
【技術分野】
【０００１】
本発明はインテリジェントシステムに関し、特に所定領域に設けられるインテリジェントシステムに関する。
【背景技術】
【０００２】
室内設計の分野で、家電、音響の室内空間における配置はデザイナー又は所有者の巧みな構想によるものである。しかし、現在の各種の家電設備は軽薄短小化される傾向にあるが、各ブランドのサイズ規格が統一されておらず、設計選択の上では、デザイナーの経験又は所有者の好みに応じて選ぶしかできない。なお、各種の電子設備に用いられる通信プロトコルが異なっているので、同一のプラットフォーム上で各種の電子資源を効率的に協調制御することができない。
【発明の概要】
【発明が解決しようとする課題】
【０００３】
従って、同じサイズを有するとともに、同一のプラットフォーム上でコミュニケーションし協調することができるインテリジェントシステムを如何に提供するか、すでに重要な課題の一つとなっている。
【課題を解決するための手段】
【０００４】
この点に鑑み、本発明は、所定領域に設けられるインテリジェントシステムであって、所定領域の画像データを取得するための画像取得ユニットと、画像データにおけるキーフィーチャを識別するための画像識別ユニットとを備えるイベント識別モジュールと、キーフィーチャとキーフィーチャ行動モード関連表、キーフィーチャ対応情報表又はキーフィーチャ状態関連表を照合して計算し、キーフィーチャ照合結果を生成させるイベント分析モジュールと、キーフィーチャ照合結果に応じて少なくとも情報または少なくともサービスを提供する情報とサービス提供モジュールとを備えるインテリジェントシステムを提供する。
【０００５】
本発明に係る実施例は、所定領域に設けられるインテリジェントシステムであって、制御モジュールと、複数のインテリジェント画像モジュール化ユニットを含み、画像を表示するためのインテリジェント画像モジュールと、複数のインテリジェントスピーカモジュール化ユニットを含み、音声信号を発信するためのインテリジェントスピーカモジュールとを備え、制御モジュール、インテリジェント画像モジュール及びインテリジェントスピーカモジュールとが共同で平面を構成するインテリジェントシステムをさらに提供する。
【０００６】
本発明に係る実施例は、所定領域に設けられるインテリジェントシステムに適用される情報とサービス提供方法であって、携帯機器の無線信号を受信するかを検出するステップと、ユーザが所定領域に入ったかどうかを判断するステップと、所定領域におけるユーザの行動を予測するステップと、予測分析結果に応じて、情報又はサービスを提供するステップとを少なくとも備える情報とサービス提供方法をさらに提供する。
【０００７】
本発明に係る実施例は、所定領域に設けられるインテリジェントシステムに適用される情報とサービス提供方法であって、イベントがトリガされるかどうかを判断するステップと、所定領域の画像データを取得し、キーフィーチャを識別するステップと、キーフィーチャに応じて、情報又はサービスを提供するステップとを少なくとも備える情報とサービス提供方法をさらに提供する。
【発明の効果】
【０００８】
以上のように、本発明に係るインテリジェントシステムは、複数のモジュール化ユニットにより共同で構成され、施工のコストを効率的に削減でき、取付の複雑さも低減できる。なお、本発明のインテリジェントシステムの外形は大型の平面であってもよいので、空間使用率及び室内設計の多様性を向上することができる。なお、本発明のインテリジェントシステムは、ユーザのキーフィーチャを識別し、ユーザの行動を効率的に予測し、有用な情報及び快適な環境をユーザに提供することができる。
【図面の簡単な説明】
【０００９】
【図１】本発明に係る実施例のインテリジェントシステムの模式図を示す。
【図２Ａ】本発明に係る実施例のキーフィーチャ行動モード関連表の模式図を示す。
【図２Ｂ】本発明に係る実施例のキーフィーチャ対応情報表の模式図を示す。
【図２Ｃ】本発明に係る実施例のキーフィーチャ状態関連表の模式図を示す。
【図２Ｄ】本発明に係る実施例のキーフィーチャ情緒関連表の模式図を示す。
【図２Ｅ】本発明に係る実施例のキーフィーチャ個人スタイル関連表の模式図を示す。
【図３】本発明に係る実施例のインテリジェントシステムが所定領域に設けられる模式図を示す。
【図４】本発明に係る実施例のインテリジェントシステム２の模式図を示す。
【図５】図３のインテリジェントシステムのモジュール化ユニットの模式図を示す。
【図６】複数の図３のモジュール化ユニットにより共同で構成される大型の平面の模式図を示す。
【図７】本発明に係る実施例のインテリジェントシステム３の模式図を示す。
【図８】本発明に係る実施例のインテリジェントシステムに適用される情報とサービス提供方法のフロー図を示す。
【図９】本発明に係る実施例のインテリジェントシステムに適用される情報とサービス提供方法の別のフロー図を示す。
【発明を実施するための形態】
【００１０】
以下に添付図面を参照して各種の例示実施例をより充分に説明するが、添付図面においていくつかの例示実施例を示す。しかし、本発明の概念は多くの異なる形で表される可能性があり、本発明で述べられる例示実施例に制限されるものと解されるべきではない。即ち、これらの例示実施例を提供することで本発明は詳しく且つ完全になり、当業者に本発明の概念の範囲を充分に伝えることとなる。各図面において、分かりやすいように、層及び区の大きさ及び相対的大きさを誇張して示すことができる。同様な数は常に同様な素子を示す。
【００１１】
なお、本発明では用語の第１、第２、第３等で種々の素子を説明する可能性があるが、これらの素子はこれらの用語に制限されるものではない。これらの用語は素子と別の素子を区分するためのものである。従って、後述する第１の素子が第２の素子と言え、本発明の概念の教示を逸脱しない。本発明に用いられるように、用語「及び／又は」は、関連する下記項目中の何れか、及び一つまたは複数のすべての組合せを含むものである。
【００１２】
以下に少なくとも１種類の実施例で図面に合わせて前記インテリジェントシステムを説明するが、下記の実施例は、本開示内容を制限するためのものではない。
【００１３】
［インテリジェントシステムの実施例］
図１から図２Ｅを参照する。図１は本発明に係る実施例のインテリジェントシステムの模式図を示す。図２Ａは本発明に係る実施例のキーフィーチャ行動モード関連表の模式図を示す。図２Ｂは本発明に係る実施例のキーフィーチャ対応情報表の模式図を示す。図２Ｃは本発明に係る実施例のキーフィーチャ状態関連表の模式図を示す。図２Ｄは本発明に係る実施例のキーフィーチャ情緒関連表の模式図を示す。図２Ｅは本発明に係る実施例のキーフィーチャ個人スタイル関連表の模式図を示す。
【００１４】
本実施例において、インテリジェントシステム１が所定領域Ａ１に設けられ、所定領域Ａ１はリビングルーム、キッチン、寝室、書斎、会議室等の異なる活動空間でもよく、本発明では制限されるものではない。インテリジェントシステム１は、データベース１１と、イベント識別モジュール１２と、イベント分析モジュール１３と、情報とサービス提供モジュール１４とを備える。
【００１５】
イベント識別モジュール１２は、画像取得ユニット１２１と画像識別ユニット１２２とを備える。画像取得ユニット１２１は所定領域Ａ１の画像データを取得し、取得される画像データを画像識別ユニット１２２に送信し、画像識別ユニット１２２は画像データにおけるキーフィーチャを識別し、画像データでキーフィーチャに関する一部の画像データを取得し、別途キーフィーチャ画像データとして格納されるためのものであり、画像データ及びキーフィーチャ画像データは、いずれもデータベース１１に格納される。
【００１６】
本実施例において、画像取得ユニット１２１により取得される複数の画像データ同士間に相違がある場合、「イベント」としてトリガされる。即ち、前後のフレームにおける画像データ同士間に、品物変化、人物移動、照度差異などのあらゆる相違点はすべてイベントとして記録される。
【００１７】
本実施例において、データベース１１はリモートデータベース又はローカルデータベースでもよく、本発明では制限されず、データベース１１により格納されるデータは、整理された各技術分野の情報、金融情報、政治経済情報、法律情報、国際貿易情報や映画情報、ゲーム情報、画像情報等でもよい。なお、上記情報は有料でも、または無料でもよく、本発明では限定されるものではない。
【００１８】
インテリジェントシステム１は、通信モジュール（図示せず）をさらに備えてもよい。通信モジュール（図示せず）は有線通信モジュール又は無線通信モジュールでもよく、外部ネットワーク又はデータベース１１を接続させるためのものである。データベース１１がローカルデータベースであれば、インテリジェントシステム１は、通信モジュールを介して外部ネットワーク又はリモートデータベースを接続させ、必要なデータを収集することができる。
【００１９】
イベント分析モジュール１３はキーフィーチャ及びキーフィーチャ行動モード関連表、キーフィーチャ対応情報表、キーフィーチャ状態関連表、キーフィーチャ情緒関連表又はキーフィーチャ個人スタイル対照表に応じて照合し、キーフィーチャ照合結果を生成する。本実施例において、情報とサービス提供モジュール１４は表示スクリーンであるとともに、モジュール化ユニットである。なお、イベント識別モジュール１２及びイベント分析モジュール１３が別のモジュール化ユニットに設けられる。本実施例において、情報とサービス提供モジュール１４のサイズは、イベント識別モジュール１２、イベント分析モジュール１３が設けられる別のモジュール化ユニットのサイズと同様である。本実施例において、情報とサービス提供モジュール１４のサイズは１２”×１２”であり、およそ一枚のＬＰレコード盤を収容できる。
【００２０】
キーフィーチャ行動モード関連表は種々のキーフィーチャの対応する異なる行動モードを記録するものである。例えば、「ユーザＵがソファに座る」というキーフィーチャは、いくつかの可能な行動モード：一、テレビを見ること、二、ネットワークの内容を見ること、三、仕事すること、四、何もしないことに対応できる。本発明では、キーフィーチャ行動モード関連表中の異なる行動モードは、すべて異なる重付け値を有し、行動分析モジュール１３は異なる行動モードの重付け値に応じて計算し、機械学習及び深層学習等の分野のアルゴリズム、例えば、人工ニューラルネットワーク、ディープニューラルネットワーク、畳み込みニューラルネットワーク、リカレントニューラルネットワーク等に応じてユーザＵの可能な行動モードを計算する。従って、本実施例中のキーフィーチャ行動モード関連表が絶えず更新、記録されてもよい。ユーザの各タイプのデータがインテリジェントシステム１に記録される場合、インテリジェントシステム１の行動分析モジュール１３はユーザＵの種々のキーフィーチャ、行動モード、状態に応じて、ユーザ嗜好表（図示せず）にまとめ、ユーザＵに対応するユーザ嗜好表（図示せず）をデータベース１１に格納し、ユーザの行動を予測する根拠とする。なお、行動分析モジュール１３は、さらにユーザの表情、体温及び体勢等のキーフィーチャに応じて、ユーザの健康に対して定期的記録と予測をすることができる。本実施例において、同一の行動モードが異なるキーフィーチャに対応するので、本発明では、同一の行動モードでも、異なるキーフィーチャに対応するため異なる重付け値を有することもある。
【００２１】
本実施例のキーフィーチャ対応情報表は、キーフィーチャの対応する各種の異なる情報を記録するものである。例えば、ユーザＵが携帯電話をもって所定領域Ａ１に入り、画像識別ユニット１２２はユーザＵが行うゲームソフトをキーフィーチャとして識別する場合、イベント分析モジュール１３は外部ネットワーク又はデータベース１１を介してゲームソフト情報の収集を行い、情報とサービス提供モジュール１４を介してゲームソフトのゲームコメント、プレイヤフォーラム、又はゲームソフトの各種の攻略をユーザに提供する。本発明に係る実施例では、イベント分析モジュール１３はゲームソフトのソフトウェアにおける購買活動情報、プレイヤフォーラム、ゲーム攻略等の情報を収集し、ユーザＵのクリック内容に応じて、キーフィーチャ対応情報表の重付け更新根拠とする。
【００２２】
本実施例中のキーフィーチャ状態関連表は異なるキーフィーチャの対応する種々の可能な状態を記録するものである。図２Ｃに示すように、ユーザＵの検出されたキーフィーチャがコンピュータである場合、その可能な状態は仕事又はレジャーである。仕事状態とレジャー状態の重付け値はやや差異がある。インテリジェントシステム１はイベント分析モジュール１３から生成されるキーフィーチャ照合結果に応じて、ユーザＵの仕事状態又はレジャー状態の関連情報を提供する。イベント分析モジュール１３から得られる結果はユーザＵがこの際に仕事状態にあることである。インテリジェントシステム１はユーザＵの仕事の要求に応じて、必要な関連データ、ウェブサイト又はリモートミーティングソフトウェアを開き、ユーザが使用し、クリックすることに供される。
【００２３】
例えば、ユーザが所定領域Ａ１の範囲に入る場合、画像取得ユニット１２１はユーザの画像データを取得し、取得される画像データを画像識別ユニット１２２に送信し、画像識別ユニット１２２は画像データを識別する。例えば、ユーザの外形、性別、ヘアスタイル、身なり、体温、表情、立ち位置、手持ち物等のキーフィーチャを識別する。各キーフィーチャに関する一部の画像データはそれぞれ、データベース１１に格納され、それぞれ異なるキーフィーチャのキーフィーチャ画像データとして格納される。イベント分析モジュール１３は、これらのキーフィーチャに応じて分析し、上記のキーフィーチャ行動モード関連表、キーフィーチャ対応情報表又はキーフィーチャ状態関連表に応じて計算し、キーフィーチャ照合結果を生成させる。本実施例中のキーフィーチャ行動モード関連表、キーフィーチャ対応情報表、キーフィーチャ状態関連表、キーフィーチャ情緒関連表又はキーフィーチャ個人スタイル対照表等は、イベント分析モジュール１３が分析するための根拠の一つに過ぎない。イベント分析モジュール１３は、さらに、時間、場所、天気、温度、湿度、環境イベント（自然災害、人為災害）等の異なる特徴を組み合わせて、共同で評価し、ユーザの各種の要求を予測することができる。他の実施例では、インテリジェントシステム１は、さらに、他のインテリジェント家電（図示せず）を整合し、キーフィーチャ照合結果に応じて制御情報を他のインテリジェント家電、例えば、インテリジェントＬＥＤ電球、インテリジェント冷蔵庫、インテリジェントエアコン設備等に提供することができるが、本発明では制限されるものではない。
【００２４】
本実施例において、画像取得ユニット１２１は一般カメラモジュール、赤外線カメラモジュール、３Ｄカメラモジュール、紫外線カメラモジュール等でもよく、本発明では限定されるものではない。本発明の他の実施例では、イベント識別モジュール１２は他のセンサ、例えば、マイクロホン、一次元加速度センサ、三次元加速度センサ、ジャイロスコープ、重力センサ等を備えてもよく、所定領域Ａ１中の種々の感知信号を取得し、識別し分析する。
【００２５】
本実施例において、インテリジェントシステム１のイベント分析モジュール１３は、さらに、所定領域Ａ１中の静的物品又は飾り物に対してキーフィーチャの識別と分析をすることができる。即ち、インテリジェントシステム１が所定領域Ａ１に取付られる場合、所定領域Ａ１の画像データを取得し、所定領域Ａ１中の各種の飾り物を識別する。例えば、所定領域Ａ１がリビングルームである場合、インテリジェントシステム１のイベント分析モジュール１３はリビングルーム中のソファ、茶卓、絨毯、電話機等の物品の様式、色等を識別し、所定領域Ａ１のデフォルトデータとして格納する。インテリジェントシステム１は所定領域Ａ１の配置スタイルに応じて、この所定領域Ａ１の各種の品物のデータを収集し分析し、又はユーザの嗜好をさらに分析する。なお、所定領域Ａ１中の飾り物は主として静的なものであるため、所定領域Ａ１の配置物品が変化（移動、消失又は増加）する場合、インテリジェントシステム１が適時に品物変化情報をユーザに提供する。「品物の移動」を例に、インテリジェントシステム１のイベント分析モジュール１３は、ある物品がすでに移動したと識別すると、情報とサービス提供モジュール１４を介して、ある物品がすでに移動したという品物変化情報、例えば、変化時間、誰が移動するか、どこから今の位置まで移動するか、当初の空間分布、現在の空間分布または現在の空間使用率等をユーザに提供する。また、インテリジェントシステム１は、当初の所定領域Ａ１のスタイルに対応する室内設計関連情報、例えば、欧州貴族スタイルまたは禅のモードというスタイルのリビングルームの配置設計、飾り物情報、購買値段情報等をさらに提供することができる。
【００２６】
本実施例において、インテリジェントシステム１は、さらに、ユーザＵの表情（図２Ｄ）又は身なりとアクセサリー（図２Ｅ）に応じてユーザの行動の予測を行い、又はユーザ個人スタイルに応じて可能な情報とサービスを提供することができる。
【００２７】
［インテリジェントシステムの別の実施例］
図３から図６を参照する。図３は本発明に係る実施例のインテリジェントシステム２の所定領域Ａ２に設けられる模式図を示す。図４は本発明に係る実施例のインテリジェントシステム２の別の模式図を示す。図５は図３のインテリジェントシステム２のモジュール化ユニットの模式図を示す。図６は複数の図３のモジュール化ユニットにより共同で構成される大型の平面の模式図を示す。
【００２８】
図３中のインテリジェントシステム２は、上記図１のインテリジェントシステム１の機能と近似するものであり、データベース２０と、インテリジェント画像モジュール２１と、第１のインテリジェントスピーカモジュール２２と、第２のインテリジェントスピーカモジュール２３と、第３のインテリジェントスピーカモジュール２４と、制御モジュール２５と、インテリジェントエアコンモジュール２６と、フレグランス提供モジュール２７と、複数の一般機能モジュール２８とを備える。
【００２９】
本実施例において、インテリジェント画像モジュール２１、第１のインテリジェントスピーカモジュール２２、第２のインテリジェントスピーカモジュール２３、第３のインテリジェントスピーカモジュール２４、制御モジュール２５、インテリジェントエアコンモジュール２６、フレグランス提供モジュール２７は、総称してインテリジェント機能モジュールと言われることができる。
【００３０】
本実施例において、インテリジェント画像モジュール２１は９つのサイズが同じであるインテリジェント画像モジュール化ユニット２１１から構成されるものである。第１のインテリジェントスピーカモジュール２２及び第２のインテリジェントスピーカモジュール２３はそれぞれ、２つのサイズが同じであるインテリジェントスピーカモジュール化ユニット２２１、２３１から構成されるものである。第３のインテリジェントスピーカモジュール２４、制御モジュール２５、インテリジェントエアコンモジュール２６、フレグランス提供モジュール２７及び一般機能モジュール２８は、すべてサイズが同じであるモジュール化ユニットであるが、それぞれ機能が異なっている。本実施例において、第３のインテリジェントスピーカモジュール２４、制御モジュール２５、インテリジェントエアコンモジュール２６、フレグランス提供モジュール２７及び一般機能モジュール２８、インテリジェント画像モジュール化ユニット２１１、及びインテリジェントスピーカモジュール化ユニット２２１、２３１のサイズは、１２”×１２”であり、およそ一枚のＬＰレコード盤を収容できる。本実施例において、制御モジュール２５は、所定領域Ａ２に設けられ、他の実施例では、リモートサーバ（図示せず）に設けられ、データベース２０に接続されてもよい。本実施例において、制御モジュール２５の外形、サイズは何ら限定されるものではなく、ハードウエア、ソフトウェア、ファームウェアまたはその組合せにより必要な機能を達成することができる。
【００３１】
本実施例において、一般機能モジュール２８は収容又は装飾に用いられるものであり、電子設備の設計を備えていない。従って、ジグソーパズルのように、ユーザは好みに応じて空間及び配置方式について設計することができ、インテリジェント機能モジュールで欠けた部分を補完することができない場合、一般機能モジュール２８で欠けた部分を埋めることができる。
【００３２】
上記のモジュール化ユニット２１１、２２１、２３１、第３のインテリジェントスピーカモジュール２４、制御モジュール２５、インテリジェントエアコンモジュール２６、フレグランス提供モジュール２７及び一般機能モジュール２８の外形は図５に示される。図５のモジュール化ユニット４０は、方形平面の先端構造４０１と、後方に設けられる係合構造４０２とを有する。二つのモジュール化ユニット４０同士が係合構造４０２を介して矩形に組合せられることができる。図６に示すように、４つのモジュール化ユニット４０により共同で方形平面が構成される。
【００３３】
本実施例において、インテリジェントシステム２は所定領域Ａ２の壁面に設けられ、そして複数のスライドレール（図示せず）が設けられていてもよい。インテリジェント画像モジュール２１、第１のインテリジェントスピーカモジュール２２、第２のインテリジェントスピーカモジュール２３、第３のインテリジェントスピーカモジュール２４、制御モジュール２５、インテリジェントエアコンモジュール２６、フレグランス提供モジュール２７及び一般機能モジュール２８は順に複数のスライドレール（図示せず）に取付られ、大型の平面を形成することができる。他の実施例では、インテリジェントシステム２は、インテリジェントランプモジュール（図示せず）をさらに備えてもよく、ユーザの要求に応じて、所定領域Ａ２の壁又は天井に装着されてもよく、本実施例では限定されるものではない。本実施例において、インテリジェントシステム２は、複数のインテリジェント電源モジュール（図示せず）をさらに備え、それぞれ対応してインテリジェント画像モジュール２１、第１のインテリジェントスピーカモジュール２２、第２のインテリジェントスピーカモジュール２３、第３のインテリジェントスピーカモジュール２４、制御モジュール２５、インテリジェントエアコンモジュール２６、フレグランス提供モジュール２７の各モジュール化ユニットの後方に設けられ、これらのインテリジェント機能モジュールに駆動電源を提供するようにする。
【００３４】
本実施例において、各インテリジェント画像モジュール化ユニット２１１は、それぞれ表示スクリーンを有するモジュール化ユニットであり、データを表示するために、独立して用いられ、又は異なる数のインテリジェント画像モジュール化ユニット２１１と組み合わせて用いられる。なお、各インテリジェント画像モジュール化ユニット２１１は、制御モジュール２５により制御され得る画像取得ユニット２１１０をさらに備える。
【００３５】
第１のインテリジェントスピーカモジュール２２及び第２のインテリジェントスピーカモジュール２３は、本実施例において、それぞれ、二つのインテリジェントスピーカモジュール化ユニット２２１、２３１から構成されるものである。インテリジェントスピーカモジュール化ユニット２２１、２３１のサイズ、機能は同様である。本実施例において、第１のインテリジェントスピーカモジュール２２は左チャンネルスピーカである。第２のインテリジェントスピーカモジュール２３は右チャンネルスピーカである。第３のインテリジェントスピーカモジュール２４は重低音スピーカである。第１のインテリジェントスピーカモジュール２２、第２のインテリジェントスピーカモジュール２３及び第３のインテリジェントスピーカモジュール２４は制御モジュール２５の制御により、音楽又は音声情報の放送を行うことができる。
【００３６】
本実施例において、制御モジュール２５は、通信モジュール（図示せず）をさらに備えてもよく、有線ネットワーク又は無線ネットワークを介してデータベース２０に接続され、データベース２０により格納されるデータをアクセスし検索することができる。制御モジュール２５は、イベント識別モジュール２５１と、イベント分析モジュール２５２とを備える。イベント識別モジュール２５１は各種のセンサ又は画像取得ユニットを備え、インテリジェントシステム２に既存の画像取得ユニット、例えばインテリジェント画像モジュール２１の画像取得ユニット２１１０を用いてもよい。イベント識別モジュール２５１の各種のセンサは、マイクロホン、一次元加速度センサ、三次元加速度センサ、ジャイロスコープ、重力センサ等でもよく、本発明では制限されるものではない。これらのセンサは制御モジュール２５に設けられてもよく、所定領域Ａ２又は所定領域Ａ２の外に設けられてもよく、本発明では制限されるものではない。
【００３７】
本実施例において、イベント識別モジュール２５１は、各種のセンサにより少なくとも一つのユーザに関連するキーフィーチャを取得することができる。イベント分析モジュール２５２は、イベント識別モジュール２５１により取得されるユーザに関連するキーフィーチャに応じて分析し、ユーザの行動を予測する。例えばキーフィーチャ行動モード関連表、キーフィーチャ対応情報表又はキーフィーチャ状態関連表、及びイベント識別モジュール２５１により取得される各種のキーフィーチャを用いて、ユーザの行動モード、状態及びキーフィーチャ対応情報の予測と分析を行い、キーフィーチャ照合結果を生成させる。
【００３８】
行動分析モジュール２５２は機械学習及び深層学習等の分野の種々のアルゴリズム、例えば、人工ニューラルネットワーク、ディープニューラルネットワーク、畳み込みニューラルネットワーク、リカレントニューラルネットワーク等に応じて、ユーザの可能な行動モード、状態及びキーフィーチャの対応情報を計算するものである。それに、本実施例中のキーフィーチャ行動モード関連表、キーフィーチャ対応情報表、キーフィーチャ状態関連表はすべて絶えず更新、記録されることができる。
【００３９】
制御モジュール２５はキーフィーチャ照合結果に応じて、インテリジェントシステム２のインテリジェント画像モジュール２１によりウェブサイト、テレビ及び各種のソフトウェアの画像を表示することができる。第１のインテリジェントスピーカモジュール２２、第２のインテリジェントスピーカモジュール２３、第３のインテリジェントスピーカモジュール２４により音声データを放送することができる。さらにフレグランス提供モジュール２７により心地よいフレグランスを提供することができる。よりさらに、インテリジェントエアコンモジュール２６により、所定領域Ａ２の温度、湿度、空気の質を制御することができる。なお、インテリジェントランプモジュール（図示せず）により所定領域における好適な光線をさらに調整することができる。即ち、制御モジュール２５はユーザに関連するキーフィーチャを識別することにより、種々の必要な情報及び環境をユーザに提供することができる。
【００４０】
［インテリジェントシステムの別の実施例］
図７を参照する。図７は本発明に係る実施例のインテリジェントシステム３の模式図を示す。本実施例において、インテリジェントシステム３が所定領域Ａ３に設けられる。インテリジェントシステム３は、第１のインテリジェントサブシステムＳ３１と、第２のインテリジェントサブシステムＳ３２と、第３のインテリジェントサブシステムＳ３３と、第４のインテリジェントサブシステムＳ３４と、第５のインテリジェントサブシステムＳ３５と、第６のインテリジェントサブシステムＳ３６とを備えている。第１のインテリジェントサブシステムＳ３１が所定領域Ａ３の第１の領域Ａ３１に設けられる。第２のインテリジェントサブシステムＳ３２が所定領域Ａ３の第２の領域Ａ３２に設けられる。第３のインテリジェントサブシステムＳ３３が所定領域Ａ３の第３の領域Ａ３３に設けられる。第４のインテリジェントサブシステムＳ３４が所定領域Ａ３の第４の領域Ａ３４に設けられる。第５のインテリジェントサブシステムＳ３５が所定領域Ａ３の第５の領域Ａ３５に設けられる。第６のインテリジェントサブシステムＳ３６が所定領域Ａ３の第６の領域Ａ３６に設けられる。
【００４１】
本実施例において、所定領域Ａ３は生活領域である。第１の領域Ａ３１はリビングルームである。第２の領域は書斎である。第３の領域は第１の寝室である。第４の領域は第２の寝室である。第５の領域は運動領域である。第６の領域はキッチン及びダイニングルームである。図７は概略的に示すものに過ぎず、他の配置は図７において詳述しない。
【００４２】
第１のインテリジェントサブシステムＳ３１、第２のインテリジェントサブシステムＳ３２、第３のインテリジェントサブシステムＳ３３、第４のインテリジェントサブシステムＳ３４、第５のインテリジェントサブシステムＳ３５及び第６のインテリジェントサブシステムＳ３６は、構造及び機能において上記実施例のインテリジェントシステム２と同様である。
【００４３】
インテリジェントシステム３は、第１のインテリジェントサブシステムＳ３１、第２のインテリジェントサブシステムＳ３２、第３のインテリジェントサブシステムＳ３３、第４のインテリジェントサブシステムＳ３４、第５のインテリジェントサブシステムＳ３５及び第６のインテリジェントサブシステムＳ３６に接続されるリモートサーバＲＳをさらに備える。リモートサーバＲＳは、上記実施例のインテリジェントシステム２の制御モジュール２５のすべての機能を有する。これらのインテリジェントサブシステムＳ３１〜Ｓ３６により取得される各領域の画像データを受信し、キーフィーチャを識別し判断し、及びユーザに対して行動予測を行うことができる。
【００４４】
なお、リモートサーバのインテリジェントシステム３に設けられる上記これらのサブシステムは、いずれも前記実施例の画像取得ユニット（図７に図示せず）を有する。所定領域Ａ３の異なる領域中の画像データを取得することができるため、第１のインテリジェントサブシステムＳ３１、第２のインテリジェントサブシステムＳ３２、第３のインテリジェントサブシステムＳ３３、第４のインテリジェントサブシステムＳ３４、第５のインテリジェントサブシステムＳ３５及び第６のインテリジェントサブシステムＳ３６が異なる領域に設けられるので、サブシステムの同一の時間帯において取得する画像データに応じてユーザの所定領域Ａ３における空間の位置決めをすることができる。インテリジェントシステム３の異なるインテリジェントサブシステムＳ３１〜Ｓ３６は、継続的にそれぞれ設けられる異なる領域において、キーフィーチャを判断識別し、ユーザの異なる領域におけるユーザの行動を記録、予測することができる。
【００４５】
例えば、ユーザの移動経路が図７に示す第１の経路Ｐ１の通りである場合、インテリジェントシステム３は第１のインテリジェントサブシステムＳ３１により、１９：００〜１９：２０にユーザが所定領域Ａ３の第１の領域Ａ３１に入ったことを確認することができる。第２の経路Ｐ２はインテリジェントシステム３が第１のインテリジェントサブシステムＳ３１、第４のインテリジェントサブシステムＳ３４及び第５のインテリジェントサブシステムＳ３５により、ユーザの１９：３０〜２１：００の間の移動軌跡を検出し、主として第１の領域Ａ３１（リビングルーム）から第４の領域Ａ３４（第２の寝室）に、そして第５の領域Ａ３５（運動領域）に移動した。第３の経路Ｐ３はインテリジェントシステム３が第５のインテリジェントサブシステムＳ３５及び第６のインテリジェントサブシステムＳ３６により、ユーザが２１：００〜２１：２０の時間帯に、第５の領域Ａ３５（運動領域）から第６の領域Ａ３６（キッチン）に移動したことが検出される。第４の経路Ｐ４はインテリジェントシステム３が第１のインテリジェントサブシステムＳ３１及び第６のインテリジェントサブシステムＳ３６により、ユーザが２１：２０〜２２：３０の時間帯に、第６の領域Ａ３６（キッチン）から第１の領域Ａ３１（リビングルーム）に移動し、主として第１の領域Ａ３１（リビングルーム）で活動したことが検出される。本実施例において、インテリジェントシステム３は異なるユーザが異なる時間に、異なる領域で行われた種々の行動を検出することができる、且つユーザが異なる時間に、異なる領域での行動を予測することができ、異なる時間に、異なる領域で必要とする異なる情報内容（テレビ番組、映画、金融情報、運動情報、ニュース等を含む）をさらにユーザに提供するが、本発明では制限されるものではない。
【００４６】
全体的に、インテリジェントシステム３はユーザに対して位置決めと行動予測をすることもできるし、異なる領域に設けられるＡ３１〜Ａ３６のインテリジェントサブシステムＳ３１〜Ｓ３５に合わせて、ユーザの行動予測を行うこともできる。場所的にユーザの可能な行動を予測することができるほかに、時間的にユーザの可能な移動軌跡を予測することもできる。
【００４７】
［インテリジェントシステムの情報とサービス提供方法の実施例］
まず、図８を参照する。図８は本発明に係る実施例のインテリジェントシステムに適用される情報とサービス提供方法のフロー図を示す。本実施例において、情報とサービス提供方法は上記実施例のインテリジェントシステム２に適用され得るので、以下の実施例はインテリジェントシステム２の関連構造に応じて後述する。
【００４８】
本実施例のインテリジェントシステム２に適用されるキーフィーチャ識別分析方法は、まず、イベントが発生したかを判断するステップ（ステップＳ５００）（「はい」であればステップＳ５１０を実施し、「いいえ」であれば継続的にステップＳ５００を実施する）と、所定領域の画像データを取得し、キーフィーチャを識別するステップ（ステップＳ５１０）と、キーフィーチャに応じて、情報又はサービスを提供するステップ（ステップＳ５２０）とを少なくとも備える。
【００４９】
ステップＳ５００では、インテリジェントシステム２の画像取得ユニット２１１０により、継続的に所定領域Ａ２にイベントが発生したかを検出し、なかでも、画像取得ユニット２１１０により取得される複数の画像データ同士間に相違がある場合、「イベント」としてトリガされる。即ち、前後のフレームにおける画像データ同士間に、品物変化、人物移動、照度差異などのあらゆる相違点はすべてイベントとして記録される。インテリジェントシステム２のイベント識別モジュール２５１は、画像取得ユニット２１１０により取得される画像データに応じて、少なくとも１つのキーフィーチャを識別することができる。なお、インテリジェントシステム２は、静的品物又は人物からトリガされる異なるイベントについてキーフィーチャの識別と分析を行うものである。画像取得ユニット２１１０により取得される画像データは、制御モジュール２５に伝送され識別分析される。
【００５０】
ステップＳ５１０では、インテリジェントシステム２の制御モジュール２５は、イベント識別モジュール２５１により、ステップＳ５００に記録されるイベントについてキーフィーチャの識別を行い、画像データにおいてキーフィーチャに関する一部の画像データを取得し、別途にキーフィーチャ画像データとして格納し、画像データ及びキーフィーチャ画像データはすべてデータベース２０に格納される。
【００５１】
ステップＳ５２０では、制御モジュール２５のイベント分析モジュール２５２は、ステップＳ５１０に識別されるキーフィーチャ及びキーフィーチャ行動モード関連表、キーフィーチャ対応情報表又はキーフィーチャ状態関連表により、ユーザの行動の分析及び予測を行い、予測分析結果を生成させるとともに、インテリジェントシステム２のインテリジェント画像モジュール２１、第１のインテリジェントスピーカモジュール２２、第２のインテリジェントスピーカモジュール２３、第３のインテリジェントスピーカモジュール２４、インテリジェントエアコンモジュール２６またはフレグランス提供モジュール２７により、予測分析結果に応じて、必要とする可能性のある情報、データ又は環境をユーザに提供する。
【００５２】
［インテリジェントシステムの情報とサービス提供方法の別の実施例］
図９を参照する。図９は本発明に係る実施例のインテリジェントシステムに適用される情報とサービス提供方法の別のフロー図を示す。本実施例において、情報とサービス提供方法は、上記実施例のインテリジェントシステム２に適用され得るので、以下の実施例はインテリジェントシステム２の関連構造に応じて後述する。
【００５３】
本実施例のインテリジェントシステム２に適用される情報とサービス提供方法は、画像取得ユニットにより所定領域Ａ２の画像データを取得するステップ（ステップＳ６００）と、ユーザが所定領域に入ったかどうかを判断するステップ（ステップＳ６１０）（「はい」であればステップＳ６２０を実施し、「いいえ」であればステップＳ６００を実施する）と、所定領域においてユーザの可能な行動を予測するステップ（ステップＳ６２０）と、予測分析結果に応じて、情報又はサービスを提供するステップ（ステップＳ６３０）とを少なくとも備える。
【００５４】
ステップＳ６００では、インテリジェントシステム２は画像取得ユニット２１１０により所定領域Ａ２の画像データを取得する。ステップＳ６１０では、画像取得ユニット２１１０により取得される画像データで人が所定領域Ａ２に入ったかどうかを判断し、人が所定領域Ａ２に入っている場合、所定領域Ａ２に入っている人に対してキーフィーチャの識別と分析を行う。即ち、画像取得ユニット２１１０により取得される画像データは、制御モジュール２５に伝送され識別分析されるものである。
【００５５】
ステップＳ６２０では、インテリジェントシステム２の制御モジュール２５はイベント識別モジュール２５１により、携帯機器が認証されたユーザ又は所定領域Ａ２に入っている人に対して、キーフィーチャの識別、分析及び予測を行う。即ち、本実施例中のキーフィーチャ行動モード関連表、キーフィーチャ対応情報表又はキーフィーチャ状態関連表に応じて、ユーザの行動を予測することができる。なお、ユーザの行動予測は、本実施例においては、機械学習及び深層学習等の分野のアルゴリズム、例えば、人工ニューラルネットワーク、ディープニューラルネットワーク、畳み込みニューラルネットワーク、リカレントニューラルネットワーク等に応じて、ユーザの可能な行動モードを計算する。
【００５６】
ステップＳ６３０では、制御モジュール２５のイベント分析モジュール２５２は、ステップＳ５１０により識別されるキーフィーチャ及びキーフィーチャ行動モード関連表、キーフィーチャ対応情報表又はキーフィーチャ状態関連表に応じて、ユーザの行動の分析及び予測を行い、予測分析結果を生成させるとともに、インテリジェントシステム２のインテリジェント画像モジュール２１、第１のインテリジェントスピーカモジュール２２、第２のインテリジェントスピーカモジュール２３、第３のインテリジェントスピーカモジュール２４、インテリジェントエアコンモジュール２６またはフレグランス提供モジュール２７により、予測分析結果に応じて、必要とする可能性のある情報、データ又は環境をユーザに提供する。
【００５７】
［実施例の可能な効果］
以上のように、本発明に係る実施例が提供するインテリジェントシステムは、複数のモジュール化ユニットにより共同で構成され、施工のコストを効率的に削減でき、取付の複雑さも低減できる。なお、本発明のインテリジェントシステムの外形は大型の平面であってもよいので、空間使用率及び室内設計の多様性を向上することができる。なお、本発明のインテリジェントシステムは、ユーザのキーフィーチャを識別し、ユーザの行動を効率的に予測し、有用な情報及び快適な環境をユーザに提供することができる。
【００５８】
以上に述べられたのは本発明の実施例に過ぎず、本発明の特許請求の範囲を制限するためのものではない。
【符号の説明】
【００５９】
１、２、３    インテリジェントシステム
１１、２０    データベース
１２、２５１    イベント識別モジュール
１３、２５２    イベント分析モジュール
１４    情報とサービス提供モジュール
２１    インテリジェント画像モジュール
２２    第１のインテリジェントスピーカモジュール
２３    第２のインテリジェントスピーカモジュール
２４    第３のインテリジェントスピーカモジュール
２５    制御モジュール
２６    インテリジェントエアコンモジュール
２７    フレグランス提供モジュール
２８    一般機能モジュール
４０    モジュール化ユニット
１２１、２１１０    画像取得ユニット
１２２    画像識別ユニット
２１１    インテリジェント画像モジュール化ユニット
２２１、２３１    インテリジェントスピーカモジュール化ユニット
４０１    先端構造
４０２    係合構造
Ｓ５００、Ｓ５１０、Ｓ５２０、Ｓ６００、Ｓ６１０、Ｓ６２０、Ｓ６３０    ステップ
Ａ１、Ａ２、Ａ３    所定領域
Ａ３１    第１の領域
Ａ３２    第２の領域
Ａ３３    第３の領域
Ａ３４    第４の領域
Ａ３５    第５の領域
Ａ３６    第６の領域
Ｐ１    第１の経路
Ｐ２    第２の経路
Ｐ３    第３の経路
Ｐ４    第４の経路
ＲＳ    リモートサーバ
Ｓ３１    第１のインテリジェントサブシステム
Ｓ３２    第２のインテリジェントサブシステム
Ｓ３３    第３のインテリジェントサブシステム
Ｓ３４    第４のインテリジェントサブシステム
Ｓ３５    第５のインテリジェントサブシステム
Ｓ３６    第６のインテリジェントサブシステム
【図１】
2017107547.tif 000003
【図２Ａ】
2017107547.tif 000004
【図２Ｂ】
2017107547.tif 000005
【図２Ｃ】
2017107547.tif 000006
【図２Ｄ】
2017107547.tif 000007
【図２Ｅ】
2017107547.tif 000008
【図３】
2017107547.tif 000009
【図４】
2017107547.tif 000010
【図５】
2017107547.tif 000011
【図６】
2017107547.tif 000012
【図７】
2017107547.tif 000013
【図８】
2017107547.tif 000014
【図９】
2017107547.tif 000015